(57)【要約】【課題】利用されるＩＣカードの不正使用及び盗難等を防止すると共に、ＩＣカードの取り扱いの利便性を向上させることができるＥＴＣ車載機を提供する。【解決手段】ＩＣカード読取り部１０２と、ユーザーの指示を入力する入力部１０３と、ＥＴＣアンテナ１０４により通信を行う通信部１０５と、生体情報読取り部１０９と、生体情報読取り部１０９で読取った生体情報とＩＣカード読取り部１０２により読取ったＩＣカード情報とを格納する為のＩＣカード情報格納部１１０と、全体を制御する制御部１１１とを備えたＥＴＣ車載機であって、制御部１１１は、ユーザーの入力に基づき、ＩＣカード読取り部１０２によりＩＣカード情報を読込ませる手段と、生体情報読取り部１０９により生体情報を読込ませる手段と、生体情報とＩＣカード情報とを一対としＩＣカード情報格納部１１０に格納する手段とを備えている。【選択図】図１
2009217766.tif 000002
【特許請求の範囲】
【請求項１】
ＩＣカード読取り部と、ユーザーの指示を入力する入力部と、ＥＴＣアンテナにより通信を行う通信部と、生体情報読取り部と、前記生体情報読取り部で読取った生体情報と前記ＩＣカード読取り部により読取ったＩＣカード情報を格納する為のＩＣカード情報格納部と、全体を制御する制御部とを備えたＥＴＣ車載機であって、
前記制御部は、ユーザーの入力に基づき、前記ＩＣカード読取り部にＩＣカードが挿入されているか確認する手段と、
ＩＣカードが挿入されている場合、ＩＣカード情報を読込ませる手段と、
ＩＣカード情報を読込むことができた場合は、前記生体情報読取り部により生体情報を読込ませる手段と、
生体情報を読取ることができたか判定する手段と、
生体情報が読込めた場合には、生体情報とＩＣカード情報とを一対とし前記ＩＣカード情報格納部に格納する手段とを備えていることを特徴とするＥＴＣ車載機。
【請求項２】
前記制御部は、ユーザーの入力に基づき、前記生体情報読取り部に生体情報を読込ませる手段と、
生体情報を読取ることができたか判定する手段と、
生体情報が読込めた場合には、前記ＩＣカード情報格納部に保存しているデータの中に、同じ生体情報を持つデータが在るかどうか検索する手段と、
同じ生体情報を持つデータが在った場合には、ＩＣカード情報を有効とし課金処理を可能な状態にする手段とを備えていることを特徴とする請求項１記載のＥＴＣ車載機。
【請求項３】
前記制御部は、ユーザーの入力に基づき、前記ＩＣカード読取り部にＩＣカードが挿入されているか確認する手段と、
ＩＣカードが挿入されている場合、ＩＣカード情報を読込む手段と、
ＩＣカード情報を読込むことができた場合は、読込んだＩＣカード情報の固有情報と一致するデータが前記ＩＣカード情報格納部にあるかどうかを判定する手段と、
一致するデータがあった場合には、一致したデータのＩＣカード情報の更新情報をＩＣカードに書き出す手段とを備えていることを特徴とする請求項１又は２記載のＥＴＣ車載機。
【請求項４】
前記制御部は、ユーザーの入力に基づき、ＩＣカード情報の更新情報を書き出したか判定する手段と、
ＩＣカード情報の更新情報を書き出した場合は、更新情報を書き出した前記ＩＣカード情報格納部のＩＣカード情報のデータを削除する手段を備えていることを特徴とする請求項３記載のＥＴＣ車載機。
【発明の詳細な説明】
【技術分野】
【０００１】
本発明は、有料道路の通行料金を自動収受するＥＴＣシステムのＥＴＣ車載機に関し、特に、利用されるＩＣカードの不正使用及び盗難等を防止すると共に、ＩＣカードの取り扱いの利便性を向上させることができるＥＴＣ車載機に関するものである。
【背景技術】
【０００２】
近年、有料道路において、マイクロ波を応用した路車間狭域通信としてＥＴＣシステム（Ｅｌｅｃｔｒｏｎｉｃ  Ｔｏｌｌ  Ｃｏｌｌｅｃｔｉｏｎ  Ｓｙｓｔｅｍ）が実用化され、サービスの拡大が期待されている。
【０００３】
図７は従来のＥＴＣシステムに使用されるＥＴＣ車載機の構成図であり、ＩＣカード７０１と、ＩＣカード７０１を読取る為のＩＣカード読取り部７０２と、ボタンなどによりユーザーの指示を入力する入力部７０３と、有料道路の料金所に設置されている装置とＥＴＣアンテナ７０４により通信を行う通信部７０５と、ユーザーに対して料金の支払いなどをスピーカー７０６により通知する音声出力部７０７と、全体を制御する制御部７０８から構成されている。
【０００４】
制御部７０８は通信部７０５により有料道路の料金所に設置された装置と通信を行い、ＩＣカード読取り部７０２からＩＣカード７０１の情報を読み取って課金処理を行い、料金の支払い情報をＩＣカード７０１に書き出している。これにより自動車を料金所に止めずに有料道路の料金支払いを行うことができるようになっている。また、有料道路の課金処理以外に音声出力部７０７により、料金の支払い時の通知や、入力部７０３からユーザーの指示を受け制御部７０８がＩＣカード読取り部７０２からＩＣカード７０１の料金支払い情報を読み取って料金支払いの履歴などを通知することもできるのが一般的である。
【０００５】
尚、本発明に関連する公知技術文献としては例えば下記の特許文献１がある。特許文献１には、有料道路の料金所で車両を一旦停止させずに通行料金の授受を行なう自動料金収受システムに使用するＥＴＣ車載機を駐車場に利用する駐車場管理システムが記載されている。
【特許文献１】特開２００２−１７０１３７号公報
【発明の開示】
【発明が解決しようとする課題】
【０００６】
しかしながら、従来のＥＴＣ車載機を使用するユーザーは、ＩＣカードの不正使用や盗難を防止するため、車両から降車する際にＩＣカードをＥＴＣ車載機から取り出して車外に持ち出し、車両に乗車する際にＩＣカードをＥＴＣ車載機に挿入するのが慣例であった。
従来のＥＴＣ車載機では、このようなＩＣカードの挿入や取り出しを乗車時及び降車時ごとに行うので煩わしく、また、車両から降車する際にＩＣカードを取出し忘れた場合に、ＩＣカードの不正使用や盗難の虞があった。
【０００７】
以上の現状に鑑み、本発明は、従来のＥＴＣ車載機が有する問題を解決するためになされたものであり、利用されるＩＣカードの不正使用及び盗難等を防止すると共に、ＩＣカードの取り扱いの利便性を向上させることができるＥＴＣ車載機を提供することを目的とする。
【課題を解決するための手段】
【０００８】
上記の課題を解決すべく、本発明は以下の構成を提供する。
請求項１に係る発明は、ＩＣカード読取り部と、ユーザーの指示を入力する入力部と、ＥＴＣアンテナにより通信を行う通信部と、生体情報読取り部と、前記生体情報読取り部で読取った生体情報と前記ＩＣカード読取り部により読取ったＩＣカード情報を格納する為のＩＣカード情報格納部と、全体を制御する制御部とを備えたＥＴＣ車載機であって、
前記制御部は、ユーザーの入力に基づき、前記ＩＣカード読取り部にＩＣカードが挿入されているか確認する手段と、
ＩＣカードが挿入されている場合、ＩＣカード情報を読込ませる手段と、
ＩＣカード情報を読込むことができた場合は、前記生体情報読取り部により生体情報を読込ませる手段と、
生体情報を読取ることができたか判定する手段と、
生体情報が読込めた場合には、生体情報とＩＣカード情報とを一対とし前記ＩＣカード情報格納部に格納する手段とを備えていることを特徴とするＥＴＣ車載機を提供するものである。
【０００９】
請求項２に係る発明は、前記制御部は、ユーザーの入力に基づき、前記生体情報読取り部に生体情報を読込ませる手段と、
生体情報を読取ることができたか判定する手段と、
生体情報が読込めた場合には、前記ＩＣカード情報格納部に保存しているデータの中に、同じ生体情報を持つデータが在るかどうか検索する手段と、
同じ生体情報を持つデータが在った場合には、ＩＣカード情報を有効とし課金処理を可能な状態にする手段とを備えていることを特徴とする請求項１記載のＥＴＣ車載機を提供するものである。
【００１０】
請求項３に係る発明は、前記制御部は、ユーザーの入力に基づき、前記ＩＣカード読取り部にＩＣカードが挿入されているか確認する手段と、
ＩＣカードが挿入されている場合、ＩＣカード情報を読込む手段と、
ＩＣカード情報を読込むことができた場合は、読込んだＩＣカード情報の固有情報と一致するデータが前記ＩＣカード情報格納部にあるかどうかを判定する手段と、
一致するデータがあった場合には、一致したデータのＩＣカード情報の更新情報をＩＣカードに書き出す手段とを備えていることを特徴とする請求項１又は２記載のＥＴＣ車載機を提供するものである。
【００１１】
請求項４に係る発明は、前記制御部は、ユーザーの入力に基づき、ＩＣカード情報の更新情報を書き出したか判定する手段と、
ＩＣカード情報の更新情報を書き出した場合は、更新情報を書き出した前記ＩＣカード情報格納部のＩＣカード情報のデータを削除する手段を備えていることを特徴とする請求項３記載のＥＴＣ車載機を提供するものである。
【発明の効果】
【００１２】
本発明のＥＴＣ車載機によれば、次のような効果がある。
ＩＣカードの挿入や取り出しを乗車時及び降車時ごとに行う必要が無くなり、利便性を高めることができる。又、ＩＣカードの不正使用や盗難の虞が無くなり、ＩＣカードの防犯効果を高めることができる。
【発明を実施するための最良の形態】
【００１３】
以下、実施例を示した図面を参照しつつ本発明の実施の形態を説明する。
図１は、本発明の実施の形態の一例を示すＥＴＣ車載機の構成図であり、本ＥＴＣ車載機は、ＩＣカード１０１とＩＣカード１０１を読取る為のＩＣカード読取り部１０２と、ボタンなどによりユーザーの指示を入力する入力部１０３と、有料道路の料金所に設置されている装置とＥＴＣアンテナ１０４により通信を行う通信部１０５と、ユーザーに対して料金の支払いなどをスピーカー１０６により通知する音声出力部１０７と、生体情報読み取り機１０８によりユーザーの生体情報を読み取る生体情報読取り部１０９と、生体情報読取り部１０９で読取った生体情報とＩＣカード読取り部１０２により読取ったＩＣカード情報を格納する為のＩＣカード情報格納部１１０と、全体を制御する制御部１１１とを備えている。
【００１４】
従来のＥＴＣ車載機ではＩＣカードを挿入した状態で走行し有料道路の課金処理を行うが、本ＥＴＣ車載機ではＩＣカード情報格納部１１０にＩＣカード情報を格納することによりＩＣカードを取出した状態で課金処理を行うことができる。
【００１５】
図２はＩＣカード情報格納部１１０に格納するデータの構成図である。このデータは生体情報読取り部１０９で読取った生体情報２０１と、ＩＣカード読取り部１０２で読取ったＩＣカード情報２０２からなり、ＩＣカード情報２０２はＩＣカード毎に固有に保持している固有情報２０３と課金処理時に更新される更新情報２０４からなる。生体情報２０１は指静脈データや指紋データなどのことで、ＩＣカードの固有情報２０３は課金処理に必要な、カード会社名・カード番号・カードの有効期限・カード名義などであり、更新情報とは料金の支払い履歴などである。
【００１６】
本ＥＴＣ車載機は、まず図２に示すデータをＩＣカード情報格納部１１０に格納することが必要である。図３は図２に示すデータをＩＣカード情報格納部１１０に格納する処理のフローチャートである。この処理はボタン操作などによりユーザーからの特定の指示（「操作１」とする）が入力部１０３から入力されることにより実行される。まず、制御部１１１はＩＣカード読取り部１０２によりＩＣカード１０１が挿入されているか確認し（ステップ３０１）、ＩＣカード１０１が挿入されている場合、ＩＣカード情報２０２を読込む（ステップ３０２）。ＩＣカード１０１が挿入されていない場合は、音声出力部１０７によりユーザーに対しＩＣカード１０１が挿入されていないことを通知し（ステップ３０３）処理を終了する。
【００１７】
ＩＣカード情報２０２を読込むことができた場合は、音声出力部１０７により生体情報の読み取りを促し生体情報読取り部１０９により生体情報２０１を読込む（ステップ３０４）。生体情報読み取り機１０８はＥＴＣ車載機とケーブルで接続されておりＥＴＣ車載機本体の設置位置から離れた場所に設置することができユーザーが即座に指をかざすことができるようになっている。次に生体情報２０１を読取ることができたか判定し（ステップ３０５）、読み取りに失敗した場合には音声出力部１０７により読取り失敗をユーザーに通知し（ステップ３０６）処理を終了する。生体情報２０１が読込めた場合には、生体情報２０１とＩＣカード情報２０２とを一対としＩＣカード情報格納部１１０に格納する（ステップ３０７）。
【００１８】
図２に示すデータは操作１を繰り返し行うことにより複数のデータを格納することができる。これにより１つのＩＣカードを複数のユーザーが使用する場合や、１ユーザーが複数のＩＣカードを保有していた場合などにも対応することができる。また、生体情報２０１とＩＣカードの固有情報２０３が同じ図２に示すデータが存在している場合には同じデータを書き込まないことで同じデータが複数格納されないようになっている。この場合、１つの生体情報２０１に複数のＩＣカード情報２０２が登録されている場合には、後に図４で説明する認証処理において、どのカードを利用するかの選択処理を含めるとよい。また、生体情報２０１とＩＣカード情報２０２は必ず１対１として格納されるように実装してもよい。この場合、１ユーザーが複数のＩＣカードを用いる場合は、例えば生体認証が指紋や指静脈の場合は指を変えるなど、登録する生体情報を変えて登録する。
【００１９】
図４は、ＩＣカード情報格納部１１０に格納している図２に示すデータと、生体情報読取り部１０９により読取った生体情報２０１とを照合し、ＩＣカードの使用を認証する処理のフローチャートである。図４の処理によりユーザーはＩＣカード１０１を挿入することなくＥＴＣで課金処理を行うことができるようになる。この認証処理は自動車のアクセサリー電源（一般的に自動車のキーは挿したあと一段階まわすと室内灯やエアコンなどのアクセサリー電源がＯＮし、もう一段階回すとイグニッションがＯＮする。イグニッションとはエンジンの点火装置のことである。さらにもう一段階回すとエンジンがスタートする）がＯＮとなったときに実行されるか、またはボタン操作などによりユーザーからの特定の指示（「操作２」とする）が入力部１０３から入力されることにより実行される。
【００２０】
まず、制御部１１１は、音声出力部１０７により生体情報の読み取りを促し、生体情報読取り部１０９により生体情報２０１を読込む（ステップ４０１）。次に生体情報２０１が読取ることができたか判定し（ステップ４０２）、読み取りに失敗した場合には音声出力部１０７により読取り失敗をユーザーに通知し（ステップ４０３）処理を終了する。
【００２１】
生体情報２０１が読込めた場合には、ＩＣカード情報格納部１１０に保存している図２に示すデータの中に、同じ生体情報２０１を持つデータが在るかどうか検索（照合）し（ステップ４０４）、同じ生体情報２０１を持つデータが無かった場合には音声出力部１０７により認証失敗をユーザーに通知し（ステップ４０５）処理を終了する。同じ生体情報２０１を持つデータが在った場合には、音声出力部１０７により認証されたことを通知し（ステップ４０６）、ＩＣカード情報を有効とし課金処理を可能な状態にする（ステップ４０７）。
【００２２】
ＩＣカード情報格納部１１０に格納している図２に示すデータは、課金処理の都度更新される更新情報２０４を保持している為、更新情報２０４をＩＣカード１０１へ書き出す処理が必要となる。この処理は、ボタン操作などによりユーザーからの特定の指示（「操作３」とする）が入力部１０３から入力されることにより実行される。
【００２３】
図５は、更新情報２０４をＩＣカード１０１へ書き出す処理のフローチャートである。制御部１１１はＩＣカード読取り部１０２によりＩＣカード１０１が挿入されているか確認し（ステップ５０１）、ＩＣカード１０１が挿入されている場合、ＩＣカード情報２０２を読込む（ステップ５０２）。ＩＣカード１０１が挿入されていない場合は、音声出力部１０７によりユーザーに対しＩＣカード１０１が挿入されていないことを通知し（ステップ５０３）処理を終了する。ＩＣカード情報２０２を読込むことができた場合は、読込んだＩＣカード情報２０２の固有情報２０３と一致するデータがＩＣカード情報格納部１１０にあるかどうかを判定する（ステップ５０４）。
【００２４】
一致するデータがない場合には、音声出力部１０７によりユーザーに対し挿入されているＩＣカード１０１のＩＣカード情報２０２が格納されていないことを通知し（ステップ５０５）処理を終了する。一致するデータがあった場合には、一致したＩＣカードのＩＣカード情報２０２の更新情報２０４データの更新された部分をＩＣカード１０１に書き出し（ステップ５０６）処理を終了する。
【００２５】
カードの有効期限が切れたり、カードを使用しなくなった場合などには、ＩＣカード情報格納部１１０に格納したＩＣカード情報２０２は、ユーザーの意思により削除する必要がある。この処理は、ボタン操作などによりユーザーからの特定の指示（「操作４」とする）が入力部１０３から入力されることにより実行される。
図６はＩＣカード情報格納部１１０に格納した図２に示すデータを削除する処理のフローチャートである。制御部１１１は、まず図５に示すＩＣカード更新情報書き出し処理を行う（ステップ６０１）。次に、ＩＣカード更新情報を書き出したか判定し（ステップ６０２）、図５のステップ５０３またはステップ５０５を実行した場合は、ＩＣカード更新情報を書き出していないのでそのまま処理を終了する。ステップ５０６を実行した場合は、一致したＩＣカードの図２に示すＩＣカード情報２０２のデータを削除し（ステップ６０３）処理を終了する。
【図面の簡単な説明】
【００２６】
【図１】本発明によるＥＴＣ車載機の構成図である。
【図２】本発明によるＥＴＣ車載機内部に格納されているデータ構成図である。
【図３】本発明によるＩＣカード情報登録処理の概要を示すフローチャートである。
【図４】本発明による生体情報によりＩＣカード情報を認証する処理のフローチャートである。
【図５】本発明によるＥＴＣ車載機内部に格納しているＩＣカード情報をＩＣカードに書き出す処理のフローチャートである。
【図６】本発明によるＥＴＣ車載機内部に格納しているＩＣカード情報を削除する処理のフローチャートである。
【図７】従来のＥＴＣ車載機の概略構成図である。
【符号の説明】
【００２７】
１０１  ＩＣカード
１０２  ＩＣカード読取り部
１０３  入力部
１０４  ＥＴＣアンテナ
１０５  通信部
１０９  生体情報読取り部
１１０  ＩＣカード情報格納部
１１１  制御部
２０１  生体情報
２０２  ＩＣカード情報
２０３  固有情報
２０４  更新情報
【図１】
2009217766.tif 000003
【図２】
2009217766.tif 000004
【図３】
2009217766.tif 000005
【図４】
2009217766.tif 000006
【図５】
2009217766.tif 000007
【図６】
2009217766.tif 000008
【図７】
2009217766.tif 000009